(57)【要約】      （修正有）【課題】ファイルが逆さになっても、ポケットから書類が落下しにくいポケットファイルを提供する。【解決手段】冊子状に綴じられた複数のページ部３１と、ページ部に設けられたポケット部５１、５２とを備え、ポケット部は、綴じられた長辺の綴じ部６に対向してページ部に接着する対向辺と、対向辺に略直角に交わり下側の短辺に接着する下側辺と、下側辺よりも短く上側の短辺に接着する上側辺と、上側辺の端部と下側辺の端部を接続してページ部に接着されない接続辺とを備えるポケットファイルである。【選択図】図１
0003233123.tif 000002
【実用新案登録請求の範囲】
【請求項１】
冊子状に綴じられた複数のページ部と、前記ページ部に設けられたポケット部とを備えたポケットファイルであって、
前記ポケット部は、前記ページ部の綴じられた辺に対向する辺に接着される対向辺と、前記対向辺の下側で一端が接続し、前記対向辺に略直交して前記ページ部に接着する下側辺と、前記下側辺より短く、前記対向辺の上側で一端が接続し、前記対向辺に略直交して前記ページ部に接着する上側辺と、前記下側辺の他端と前記上側辺の他端とを接続すると共に前記ページ部に接着していない接続辺と、を有することを特徴とするポケットファイル。
【請求項２】
接続辺は、対向辺に平行で当該対向辺より短く、下側辺の端部に一端が接続する第１の辺と、上側辺の他端と前記第１の辺の他端とを接続する第２の辺とを有することを特徴とする請求項１記載のポケットファイル。
【請求項３】
ページ部の両面にポケット部が設けられていることを特徴とする請求項１又は２記載のポケットファイル。
【請求項４】
ポケット部は、接続辺に沿ってスジが形成されていることを特徴とする請求項１乃至３のいずれか記載のポケットファイル。
【請求項５】
ファスナーを備えた袋状のファスナーポケットを有することを特徴とする請求項１乃至４のいずれか記載のポケットファイル。
【考案の詳細な説明】
【技術分野】
【０００１】
本考案は、ポケットのあるページを備えたポケットファイルに係り、特に、ポケットに挿入した書類等が落下しにくいポケットファイルに関する。
【背景技術】
【０００２】
［先行技術の説明］
ポケットファイルは、クリアファイルのようなポケットを備えた複数のページの一辺が冊子状に綴じられたファイルである。
従来のポケットファイルでは、各ページがファイルの背表紙部分で綴じられ、ポケットの上部及び手前側が開口しており、書類等を挿入しやすくしている。
【０００３】
［関連技術］
尚、関連する先行技術としては、特許第６８１４９９９号公報「ファイル」（特許文献１）がある。
特許文献１には、開放領域が下に向けられた場合に、物品が落下しにくいよう、閉鎖手段を設けたファイルが記載されている。
【先行技術文献】
【特許文献】
【０００４】
【特許文献１】特許第６８１４９９９号公報
【考案の概要】
【考案が解決しようとする課題】
【０００５】
しかしながら、従来のポケットファイルでは、ファイルが逆さになった場合に、ポケットに挿入された書類等が落下しやすく、不便であるという問題点があった。
【０００６】
尚、特許文献１には、ポケットを備えた複数のページが綴じられたポケットファイルについての記載はない。
【０００７】
本考案は上記実状に鑑みて為されたもので、ファイルが逆さになっても、ポケットから書類が落下しにくいポケットファイルを提供することを目的とする。
【課題を解決するための手段】
【０００８】
上記従来例の問題点を解決するための本考案は、冊子状に綴じられた複数のページ部と、ページ部に設けられたポケット部とを備えたポケットファイルであって、ポケット部は、ページ部の綴じられた辺に対向する辺に接着される対向辺と、対向辺の下側で一端が接続し、対向辺に略直交してページ部に接着する下側辺と、下側辺より短く、対向辺の上側で一端が接続し、対向辺に略直交してページ部に接着する上側辺と、下側辺の他端と上側辺の他端とを接続すると共にページ部に接着していない接続辺と、を有することを特徴としている。
【０００９】
また、本考案は、上記ポケットファイルにおいて、接続辺が、対向辺に平行で当該対向辺より短く、下側辺の端部に一端が接続する第１の辺と、上側辺の他端と第１の辺の他端とを接続する第２の辺とを有することを特徴としている。
【００１０】
また、本考案は、上記ポケットファイルにおいて、ページ部の両面にポケット部が設けられていることを特徴としている。
【００１１】
また、本考案は、上記ポケットファイルにおいて、ポケット部は、接続辺に沿ってスジが形成されていることを特徴としている。
【００１２】
また、本考案は、上記ポケットファイルにおいて、ファスナーを備えた袋状のファスナーポケットを有することを特徴としている。
【考案の効果】
【００１３】
本考案によれば、冊子状に綴じられた複数のページ部と、ページ部に設けられたポケット部とを備え、ポケット部が、ページ部の綴じられた辺に対向する辺に接着される対向辺と、対向辺の下側で一端が接続し、対向辺に略直交してページ部に接着する下側辺と、下側辺より短く、対向辺の上側で一端が接続し、対向辺に略直交してページ部に接着する上側辺と、下側辺の他端と上側辺の他端とを接続すると共にページ部に接着していない接続辺と、を有するポケットファイルとしているので、上側辺が閉じていることにより、ポケットファイルが逆さになった場合でも、書類等が落下しにくくできる効果がある。
【図面の簡単な説明】
【００１４】
【図１】本ポケットファイルの概略構成を示す説明図である。
【図２】表紙部１の平面図である。
【図３】表紙部１とインナーポケット部３ａの見開き状態の平面図である。
【図４】ファスナーポケット部４と表紙部２の見開き状態の平面図である。
【図５】インナーポケット部３ｂの平面図である。
【図６】ファスナーポケット部４の表側の平面図である。
【図７】ファスナーポケット部４の裏側の平面図である。
【考案を実施するための形態】
【００１５】
本考案の実施の形態について図面を参照しながら説明する。
［実施の形態の概要］
本考案の実施の形態に係るポケットファイル（本ポケットファイル）は、冊子状に綴じられた複数のページ部と、ページ部に設けられたポケット部とを備え、ポケット部は、ページ部の、綴じられた長辺に対向する辺に接着する対向辺と、対向辺に略直角に交わる下側の短辺に接着する下側辺と、下側辺よりも短い上側の短辺に接着する上側辺と、上側辺の端部と下側辺の端部を接続してページ部に接着されない接続辺とを備えるものであり、上側辺が閉じていることにより、ポケットファイルが逆さになった場合でも、書類等が落下するのを防ぐものである。
【００１６】
［本ポケットファイルの概略構成：図１］
本ポケットファイルの概略構成について、図１を用いて説明する。図１は、本ポケットファイルの概略構成を示す説明図である。
図１に示すように、本ポケットファイルは、全体として冊子状に形成され、表紙部１，２と、インナーポケット部３ａ，３ｂと、ファスナーポケット部４とを備えている。
【００１７】
そして、表紙部１、インナーポケット部３ａ，３ｂ、ファスナーポケット部４、表紙部２が、この順で重ねられて、綴じ部６によって綴じられている。
綴じ部６は、略長方形の各ページの一方の長辺を重ねてウェルダー加工することで圧着されて接着される。
尚、ここでは、本ポケットファイルの大きさは、１つのポケットにＡ４サイズの書類が収納可能であり、見開きでＡ３サイズの書類が収納可能な大きさとしている。
【００１８】
表紙部１，２の内側にもポケット部が設けられている。
具体的には、表紙部１の内側にはポケット部５１が設けられ、表紙部２の内側にはポケット部５２が設けられている。
尚、ポケット部５１とポケット部５２は、形状が左右対称となっている。
【００１９】
インナーポケット部３ａ，３ｂは、ポケットが張り付けられる台紙となるページ部３１と、ポケット部５１，５２とを備えている。
つまり、本ポケットファイルは、表紙部１の内側に１つ、インナーポケット部３ａ，３ｂの両面に１つずつ、更に表紙部２の内側に１つのポケットを備えており、全部で６つのポケットが設けられている。
【００２０】
ポケット部５１は、ページ部３１の一方の面（ファスナーポケット部４側の面：「右面」と称する）に設けられ、ポケット部５２は、ページ部３１の他方の面（表紙部１側の面：「左面」と称する）に設けられている。図１の斜視図では、インナーポケット部３ａ，３ｂについては、右面のみが見えているため、ポケット部５１のみが示されており、左面のポケット部５２は見えていない。
【００２１】
そして、ポケット部５１，５２では、図１の手前側の長辺（対向辺）と、下側の短辺（下側辺）がページ部３１に接着（接続）されて、Ｌ字形状に閉じた部分が形成され、斜めに形成された辺と奥側の辺（綴じ部６に平行な辺）が開口して、全体としてポケットを形成している。
【００２２】
そして、本ポケットファイルの特徴として、ポケット部５１，５２には、下側辺よりも短い上側辺が形成されており、この部分がページ部３１に接着されている。
これにより、本ポケットファイルと同程度のＡ４サイズの書類や、見開きと同程度のＡ３サイズの書類は、本ポケットファイルを逆さにしても落下しにくくなるものである。
【００２３】
また、図１の例では、ポケット部５１，５２の上側辺と下側辺を接続する辺（接続辺）は、上側辺に接続する斜めの辺と、綴じ部６に平行な奥側の辺とで形成されているが、別の形状でもよく、例えば円弧形状であってもよい。
ポケット部５１，５２の形状の詳細については後述する。
【００２４】
ファスナーポケット部４は、図１の例ではインナーポケット部３ｂと、表紙部２との間に挿入されているが、別の位置に挿入しても構わない。
【００２５】
［本ポケットファイルの各部：図２〜７］
次に、本ポケットファイルの各部について、図２〜図７を参照しながら説明する。
図２は、表紙部１の平面図であり、図３は、表紙部１とインナーポケット部３ａの見開き状態の平面図であり、図４は、ファスナーポケット部４と表紙部２の見開き状態の平面図であり、図５は、インナーポケット部３ｂの平面図であり、図６は、ファスナーポケット部４の表側の平面図であり、図７は、ファスナーポケット部４の裏側の平面図である。
【００２６】
［表紙部１：図２］
図２に示すように、表紙部１は、本ポケットファイルの表紙となるものであり、内側となる右面にはポケット部５１が設けられている。
ここでは、表紙部１は半透明部材で形成されたものを示しており、ポケット部５１が表側から透けて見えている。また、ポケット部５１も透明若しくは半透明の素材を用いている。
【００２７】
［インナーポケット部３ａ：図３］
図３に示すように、表紙部１とインナーポケット部３ａを見開いた状態では、綴じ部６の左側に表紙部１、右側にインナーポケット部３ａが位置する。
表紙部１の裏面（図３では綴じ部６の左側）には、ポケット部５１が設けられ、インナーポケット３ａは、ページ部３１の左面（図３では綴じ部６の右側）にポケット部５２が設けられている。
尚、インナーポケット３ｂも、同様の構成となっている。
【００２８】
ここで、表紙部１では、ポケット部５１の上側辺が表紙部１の上部の短辺に接着するのではなく、その短辺より内側で接着されている。これは、ポケット部５１，５２として共通の形状のものを用いているものの、表紙部１がインナーポケット部３ａ，３ｂより若干大きく形成されているためである。表紙部２でのポケット部５２でも同様の構成となっている。
尚、図３では、表紙部１とインナーポケット３ａを見開いた状態としているが、インナーポケット部３ａ，３ｂを見開いた場合もほぼ同様の状態となる。
【００２９】
そして、各ポケット部５１，５２において、綴じ部６に対して外側となる長辺（対向辺）と、下側の辺（下側辺）がページ部３１に接着されて閉じている。
接続辺は開口している。
また、上述したように、本ポケットファイルでは、各ポケット部５１，５２の上部に、短い上側辺を設けており、上側辺もウェルダー加工によりページ部３１に接着されている。
【００３０】
各ポケット部５１，５２において、綴じ部６の反対側となる外側が閉じられ、内側が開口していることにより、収納した書類等が落ちにくくなるものである。
また、これにより、見開き状態のポケット部５１，５２に、Ａ３の書類を収納することが可能となる。
更に、上側辺が閉じられていることで、本ポケットファイルが逆さになっても、Ａ４サイズやＡ３サイズの書類は上側辺に引っかかって、落下を防ぐことができるものである。
【００３１】
［ファスナーポケット部４と表紙部２：図４］
図４では、ファスナーポケット部４と表紙部２とを見開いた状態を示しており、綴じ部６の左側にファスナーポケット部４、右側に表紙部２が位置する。
ファスナーポケット部４は、綴じ部６とは反対側の辺（対向辺）が、上下にファスナーで開閉するようになっており、ファスナー部４ａとスライダー部４ｂとを備えている。
また、表紙部２は、裏面（図４では右側）にポケット部５２が設けられている。ポケット部５２の構成は、図３で説明したものと同様である。
【００３２】
［インナーポケット部３ｂ：図５］
インナーポケット部３ｂは、図５に示すように、インナーポケット部３ａと同様であり、具体的には、ページ部３１が綴じ部６で本ポケットファイルに固定されており、ポケット部５２は、ページ部３１の綴じ部６とは反対側の辺に対向辺５２ａが接着され、ページ部３１の下側の短辺に下側辺５２ｂが接着され、ページ部３１の上側の短辺に下側辺５２ｂより短い上側辺５２ｃが接着されている。
【００３３】
対向辺５２ａの上部は上側辺５２ｃの一端が接続し、対向辺５２ａの下部は下側辺５２ｂの一端が接続している。
また、上側辺５２ｃの他端と下側辺５２ｂの他端は、接続辺５２ｄに接続されている。
接続辺５２ｄは、ページ部３１には接着しておらず、開放され、書類を差し込むことができるようになっている。
【００３４】
そして、接続辺５２ｄは、対向辺５２ａより短く綴じ部６に平行で一端が下側辺５２ｂの他端に接続する第１辺５２ｄ１と、上側辺５２ｃの他端と第１辺５２ｄ１の他端とを斜め方向に接続する第２辺５２ｄ２とから構成されている。
また、上側辺５２ｃと第２辺５２ｄ２との接続部分は、対向辺５２ａ側に切り込みの凹部が形成され、同様に、下側辺５２ｂと第１辺５２ｄ１との接続部分にも、対向辺５２ａ側に切り込みの凹部が形成されている。
【００３５】
更に、接続辺５２ｄの第１辺５２ｄ１に沿って、その内側に第１のスジ５２ｅ１が形成され、第２辺５２ｄ２に沿って、その内側に第２のスジ５２ｅ２が形成されている。
第１のスジ５２ｅ１と第２のスジ５２ｅ２は繋がっており、表面に線状の凹みを形成して、裏面へ突出させたものである。つまり、ポケット部５２からページ部３１に向けてスジ状の突起を形成することで、ポケット部５２とページ部３１との間に僅かな隙間を形成することができ、書類を差し込みやすい構成となっている。
【００３６】
［ファスナーポケット部４：図６，７］
ファスナーポケット部４は、図６，７に示すように、綴じ部６側で固定され、ファスナー部４ａ以外の辺は、接着されて密封される構成となっている。
ファスナーは、綴じ部６の対向辺がファスナー部４ａとなっており、スライダー部４ｂを下げることで開き、上げることで閉じるようになっている。
ファスナーポケット部４は、書類よりも小物の収納に適している。
【００３７】
［実施の形態の効果］
本ポケットファイルによれば、冊子状に綴じられた複数のページ部３１と、ページ部３１に設けられたポケット部５１，５２とを備え、ポケット部５１，５２は、綴じられた長辺の綴じ部６に対向してページ部３１に接着する対向辺５２ａと、対向辺５２ａに略直角に交わり、ページ部３１の下側の短辺に接着する下側辺５２ｂと、下側辺５２ｂよりも短く、ページ部３１の上側の短辺に接着する上側辺５２ｃと、上側辺５２ｃの端部と下側辺５２ｂの端部を接続して、ページ部３１に接着されない接続辺５２ｄとを備えるものであり、上側辺５２ｃが閉じていることにより、ポケットファイルが逆さになった場合でも、書類等を落下しにくくできる効果がある。
【産業上の利用可能性】
【００３８】
本考案は、ファイルが逆さになっても、ポケットから書類が落下しにくいポケットファイルに適している。
【符号の説明】
【００３９】
１，２…表紙部、  ３ａ，３ｂ…インナーポケット部、  ４…ファスナーポケット部、  ４ａ…ファスナー部、  ４ｂ…スライダー部、  ６…綴じ部、  ３１…ページ部、  ５１，５２…ポケット部、  ５２ａ…対向辺、  ５２ｂ…下側辺、  ５２ｃ…上側辺、  ５２ｄ…接続辺、  ５２ｄ１…第１辺、  ５２ｄ２…第２辺、  ５２ｅ１，５２ｅ２…スジ
【図１】
0003233123.tif 000003
【図２】
0003233123.tif 000004
【図３】
0003233123.tif 000005
【図４】
0003233123.tif 000006
【図５】
0003233123.tif 000007
【図６】
0003233123.tif 000008
【図７】
0003233123.tif 000009